(57)【要約】  【課題】駆動部材に形成されている当接面と、地板に取り付けられている緩衝部材の被当接面との接触面積を大きくして、撮影時における作動終了時において、駆動部材が好適に停止できるようにしたカメラ用フォーカルプレンシャッタを提供すること。  【解決手段】先羽根用駆動部材６と後羽根用駆動部材８は、シャッタ地板１とは反対方向に起立させた形状の当接部６ｅ，８ｅを有している。シャッタ地板１の羽根室外に壁状に形成した取付部１ｄ，１ｅには、緩衝部材２，３が取り付けられている。撮影時における作動終了時においては、各駆動部材６，８は、当接部６ｅ，８ｅが緩衝部材２，３に当接して停止するが、当接部６ｅ，８ｅの当接面と緩衝部材２，３の被当接面とは、いずれも、面積の大きな平坦面に形成されている。【選択図】  図１
2008250151.tif 000002
【特許請求の範囲】
【請求項１】
両方の間に少なくとも一つの羽根室を構成しており一方には円弧状の長孔が少なくとも一つ形成されている二つの地板と、複数のアームとそれらのアームに枢支された少なくとも１枚の羽根とで構成されていて羽根室内においてそれらのアームの一端を前記一方の地板に回転可能に取り付けている少なくとも一つのシャッタ羽根と、前記長孔を貫通して前記アームの一つに連結されている駆動ピンと該駆動ピンとは略同じ位置の反対側に前記長孔の幅と略同じかそれ以上の長さにわたって所定の高さに起立され平坦な当接面を形成している当接部とを有していて羽根室外において前記一方の地板に回転可能に取り付けられている少なくとも一つの駆動部材と、前記一方の地板の羽根室外において前記長孔の一端近傍に取り付けられており前記長孔の幅と略同じかそれ以上の長さにわたって所定の高さに形成された平坦な被当接面を有していて前記駆動部材の一方への回転終了時に前記当接面が該被当接面に当接する緩衝部材と、を備えていることを特徴とするカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、それらのいずれのフォーカルプレンシャッタの場合でも、シャッタ羽根の構成は略同じであって、長さ方向の一端をシャッタ地板に回転可能に取り付けている複数のアームと、それらのアームに枢支された少なくとも１枚の羽根とで構成されている。
【０００４】
また、シャッタ羽根の駆動部材は、シャッタ地板の羽根室外の面に回転可能に取り付けられており、その駆動ピンを、シャッタ地板に形成された円弧状の長孔から羽根室内に延伸させ、上記のアームの一つに形成された孔に嵌合させている。そして、駆動部材が往復回転をすると、シャッタ羽根が露光開口の開閉作動を行うようになっている。また、その駆動部材は、一方へは、駆動ばねの付勢力によって回転させられ、他方へは、シャッタ地板に回転可能に取り付けられたセット部材によって回転させられるように構成されているのが普通であるが、最近では、そのような駆動ばねを用いることなく、電磁アクチュエータによって、両方向へ回転させるようにしたものも知られている。
【０００５】
このような構成のフォーカルプレンシャッタは、撮影時には、シャッタ羽根が高速で作動させられるが、その作動終了時には、駆動部材やシャッタ羽根が、ストッパに当接して停止させられる。ところが、ストッパに当接したとき大きくバウンドすると、露光むらを発生させる原因になったり、シャッタ羽根の破壊の原因になったりすることから、停止位置にはブチルゴム製などの弾性材料からなる緩衝部材を取り付けておき、駆動部材やシャッタ羽根をそれらに当接させるようにしているのが普通である。本発明は、それらのうち、駆動部材を緩衝部材に当接させるようにした構成に関するものであるが、そのようにする場合の一例が、下記の特許文献１に記載されている。
【０００６】
【特許文献１】特開２００１−４２３８７号公報
【発明の開示】
【発明が解決しようとする課題】
【０００７】
駆動部材を緩衝部材に当接させる従来の構成は、シャッタ地板に形成された上記の円弧状の長孔の一端に、平面形状が略Ｃ字形をした緩衝部材を取り付けておき、そこに駆動部材の駆動ピンを当接させるようにしているのが普通である。そして、実際に、実施されているものとしては、駆動ピンの当接面が凸の円弧面であって、緩衝部材の被当接面は凹の円弧面に形成したものが多い。しかしながら、特許文献１の図面に記載されている駆動ピンの当接面は平坦面に形成されており、緩衝部材も全体としてはＣ字形をしているが被当接面だけは平坦面に形成されている。
【０００８】
ところで、大きな緩衝効果を得るための一つの方法として、駆動ピンと緩衝部材の接触面積を大きくすることがある。しかも、その接触面は、駆動ピンの作動方向に対して略直交する面であることが好ましい。その観点からいうと、駆動ピンの当接面と緩衝部材の被当接面とは、特許文献１の図面に記載されているように、両方とも平坦面に形成することが好ましいことになる。しかしながら、駆動ピンに平坦面を形成する場合には、自ずとその大きさに限度がある。
【０００９】
本発明は、このような問題点を解決するためになされたものであり、その目的とするところは、駆動部材に形成されている当接面と、地板に取り付けられている緩衝部材の被当接面との接触面積を大きくして、撮影時における作動終了時において、駆動部材が好適に停止することができるようにしたカメラ用フォーカルプレンシャッタを提供することである。
【課題を解決するための手段】
【００１０】
上記の目的を達成するために、本発明のカメラ用フォーカルプレンシャッタは、両方の間に少なくとも一つの羽根室を構成しており一方には円弧状の長孔が少なくとも一つ形成されている二つの地板と、複数のアームとそれらのアームに枢支された少なくとも１枚の羽根とで構成されていて羽根室内においてそれらのアームの一端を前記一方の地板に回転可能に取り付けている少なくとも一つのシャッタ羽根と、前記長孔を貫通して前記アームの一つに連結されている駆動ピンと該駆動ピンとは略同じ位置の反対側に前記長孔の幅と略同じかそれ以上の長さにわたって所定の高さに起立され平坦な当接面を形成している当接部とを有していて羽根室外において前記一方の地板に回転可能に取り付けられている少なくとも一つの駆動部材と、前記一方の地板の羽根室外において前記長孔の一端近傍に取り付けられており前記長孔の幅と略同じかそれ以上の長さにわたって所定の高さに形成された平坦な被当接面を有していて前記駆動部材の一方への回転終了時に前記当接面が該被当接面に当接する緩衝部材と、を備えているようにする。
【発明の効果】
【００１１】
本発明のカメラ用フォーカルプレンシャッタは、駆動部材が、シャッタ羽根に連結させている駆動ピンの反対側に当接部を有していて、撮影時の作動終了段階において、その当接部を、羽根室外において地板に取り付けられている緩衝部材に当接させるようにしたので、駆動部材の当接部の当接面と緩衝部材の被当接面とを大きな平坦面とすることができ、駆動部材が好適にバウンドを抑制され、停止させられるという利点がある。
【発明を実施するための最良の形態】
【００１２】
本発明の実施の形態を、図示した実施例によって説明する。本発明は、上記のように、二つのシャッタ羽根を備えたフォーカルプレンシャッタにも、一つのシャッタ羽根を備えたフォーカルプレンシャッタにも適用することができるものであるが、実施例は、先羽根及び後羽根と称されている二つのシャッタ羽根を備えたフォーカルプレンシャッタに適用したものである。また、二つのシャッタ羽根を備えたフォーカルプレンシャッタは、上記のように、銀塩フィルムカメラにも、デジタルカメラにも採用することができるが、実施例は、デジタルカメラに採用された場合で説明する。
【実施例】
【００１３】
図１〜図４を用いて本実施例を説明する。尚、図１は、露光作動終了直後の状態を被写体側から見て約左半分を示した平面図である。また、図２は、図１の下方から見て、先羽根用駆動部材を、その当接部の当接面が分かるようにして示した側面図である。更に、図３及び図４は、図１と同様にして見て示した平面図であって、図３は、セット状態を示したものであり、図４は、露光作動開始直前の状態を示したものである。
【００１４】
そこで先ず、主に図１及び図２を用いて、本実施例の構成を説明する。シャッタ地板１は、その略中央部に長方形を横長にした被写体光路用の開口部１ａを有しているが、図１は、被写体側から見て約左半分を示したものであるため、開口部１ａも一部だけが示されている。周知であるため図示を省略しているが、図１において、シャッタ地板１の背面側、即ち固体撮像素子側には、所定の間隔を空けて中間板と補助地板が、適宜な手段によって順に取り付けられており、シャッタ地板１と中間板との間に先羽根の羽根室を構成し、中間板と補助地板の間に後羽根の羽根室を構成している。そして、それらの中間板や補助地板にも、開口部１ａと重なるところに、開口部１ａよりも若干大きい開口部が形成されている。そのため、本実施例の場合には、開口部１ａが露光開口を規制していることになる。
【００１５】
シャッタ地板１には、開口部１ａの左側の領域に、略円弧状をした二つの大きな長孔１ｂ，１ｃが形成されている。また、シャッタ地板１の被写体側の面には、長孔１ｂ，１ｃの下端近傍位置に、長孔１ｂ，１ｃの幅よりも長い長さにわたって所定の高さになるように形成された壁状の取付部１ｄ，１ｅが形成されており、その一方の壁面に直方体をしたブチルゴム製の緩衝部材２，３が接着剤で取り付けられている。従って、これらの緩衝部材２，３の面は、いずれの面も見かけ上は平坦面である。
【００１６】
シャッタ地板１の被写体側の面には、軸１ｆ，１ｇ，１ｈが立設され、羽根室側の面には、軸１ｉ，１ｊ，１ｋ，１ｍが立設されているが、それらのうち、軸１ｆと軸１ｉ、及び軸１ｇと軸１ｋは、夫々同心となるようにして立設されている。また、シャッタ地板１の被写体側の面には、このほかにも図示していない複数の軸が立設されていて、それらの先端に、シャッタ地板１と平行になるようにして、図示していない周知の支持板が取り付けられている。そして、その支持板には、シャッタ地板１側に先羽根用電磁石と後羽根用電磁石が取り付けられているが、図１，図３，図４においては、先羽根用電磁石の鉄芯部材４と後羽根用電磁石の鉄芯部材５だけが二点鎖線で示されている。
【００１７】
シャッタ地板１の上記軸１ｆには、合成樹脂製の先羽根用駆動部材６が回転可能に取り付けられていて、図示していない周知の先羽根用駆動ばねによって時計方向へ回転するように付勢されている。この先羽根用駆動部材６は、上記の軸１ｆに嵌装させる筒部６ａと、被押動部６ｂと、被写体側へ肉厚に形成された取付部６ｃと、シャッタ地板１側に立設された駆動ピン６ｄと、被写体側へ起立させて形成された当接部６ｅとを有していて、駆動ピン６ｄを、上記の長孔１ｂに挿入している。また、取付部６ｃには空洞部が形成されていて、そこに、周知のようにして、鉄片部材７が取り付けられている。その鉄片部材７は、軸部７ａと、その一端に固定されている鉄片部７ｂと、他端に形成されている鍔部７ｃとからなっており、空洞内において軸部７ａに嵌装されている図示していない圧縮ばねによって、鉄片部７ｂを空洞外へ突き出すように付勢されている。更に、当接部６ｅは、長孔１ｂの幅よりも長い長さにわたって所定の高さになるように起立された形状をしていて、上記の緩衝部材２側の面は図２に示されているような長方形の平坦面となっており、その全面で緩衝部材２に接触し得るようになっている。
【００１８】
シャッタ地板１の上記軸１ｇには、合成樹脂製の後羽根用駆動部材８が回転可能に取り付けられていて、図示していない周知の後羽根用駆動ばねによって時計方向へ回転するように付勢されている。この後羽根用駆動部材８は、上記の軸１ｇに嵌装させる筒部８ａと、回転可能に取り付けたローラ８ｂと、支持板６側へ肉厚に形成された取付部８ｃと、シャッタ地板１側に立設された駆動ピン８ｄと、被写体側へ起立させて形成された当接部８ｅとを有していて、駆動ピン８ｄを、上記の長孔１ｃに挿入している。また、取付部８ｃには空洞部が形成されていて、そこに、鉄片部材９が取り付けられている。そして、その鉄片部材９は、上記の鉄片部材７と同様に、軸部９ａと、鉄片部９ｂと、鍔部９ｃとからなっており、空洞内において軸部９ａに嵌装された図示していない圧縮ばねによって、鉄片部９ｂを空洞外へ突き出すように付勢されている。更に、当接部８ｅは、長孔１ｃの幅よりも長い長さにわたって所定の高さになるように起立された形状をしていて、上記の緩衝部材３側の面は、上記当接部６ｅと同様に、長方形の平坦面となっており、その全面で緩衝部材３に接触し得るようになっている。
【００１９】
シャッタ地板１の上記軸１ｈには、合成樹脂製のセット部材１０が回転可能に取り付けられていて、図示していない周知の復帰ばねによって反時計方向へ回転するように付勢されているが、図１は、その回転を図示していない手段によって阻止されている状態を示したものである。以下においては、この位置を初期位置ということにする。そして、このセット部材１０は、先羽根用駆動部材６の被押動部６ｂを押す押動部１０ａと、後羽根用駆動部材８のローラ８ｂを押す押動部１０ｂと、図示していないカメラ本体側の部材によって押される被押動部１０ｃとを有している。
【００２０】
最後に、二つのシャッタ羽根の構成を説明する。先ず、上記したように、シャッタ地板１と図示していない中間板との間に配置されている先羽根は、二つのアーム１１，１２と、それらの長さ方向へ順に枢支された３枚の羽根１３，１４，１５とで構成されており、アーム１１，１２は、羽根１３，１４，１５よりもシャッタ地板１側に配置されていて、それらの一端を、シャッタ地板１に立設された上記の軸１ｉ，１ｊに対して回転可能に取り付けられている。そして、羽根２５がスリット形成羽根であって、アーム１１に形成されている図示していない孔には、上記の先羽根用駆動部材６の駆動ピン６ｄが嵌合している。
【００２１】
他方、上記したように、図示していない中間板と補助地板との間に配置されている後羽根は、二つのアーム１６，１７と、それらの長さ方向へ順に枢支された３枚の羽根１８，１９，２０とで構成されており、アーム１６，１７は、羽根１８，１９，２０よりも補助地板側に配置されていて、それらの一端を、シャッタ地板１の羽根室側に立設された上記の軸１ｋ，１ｍに対して回転可能に取り付けられている。そして、羽根２０がスリット形成羽根であって、アーム１６に形成されている図示していない孔には、上記の後羽根用駆動部材８の駆動ピン８ｄが嵌合している。
【００２２】
尚、本実施例のシャッタ羽根は、先羽根も後羽根も、アームは二つずつであるが、夫々三つ以上にしたものも知られている。また、本実施例の場合には、先羽根も後羽根も、３枚ずつの羽根を枢支しているが、１枚ずつにすることも、３枚以外の複数枚ずつにすることも知られているほか、先羽根と後羽根では異なる枚数にすることも知られている。本発明のシャッタ羽根は、それらのうちのどの構成であっても構わない。
【００２３】
次に、本実施例の作動を説明する。図１は、先羽根と後羽根が露光作動を終了した直後の状態を示したものである。そのため、先羽根の３枚の羽根１３〜１５は、重畳されて開口部１aの下方位置に格納されており、後羽根の３枚の羽根１８〜２０は展開されて開口部１aを覆っている。そして、この状態において、撮像情報が固体撮像素子から記憶装置に転送されると、直ちにセット作動が行われる。
【００２４】
セット作動は、図１の状態において、図示していないカメラ本体側の部材がセット部材１０の被押動部１０ｃを押して、セット部材１０を、図示していない復帰ばねの付勢力に抗して時計方向へ回転させることによって行われる。それによって、セット部材１０は、先ず、その押動部１０ａが、先羽根用駆動部材６の被押動部６ｂを押し、図示していない先羽根用駆動ばねの付勢力に抗して先羽根用駆動部材６を反時計方向へ回転させ始める。そして、その後、先羽根のスリット形成羽根１５が、後羽根のスリット形成羽根２０に所定量重なると、セット部材１０のもう一方の押動部１０ｂが、後羽根用駆動部材８に取り付けられているローラ８ｂを押すことにより、図示していない後羽根用駆動ばねの付勢力に抗して後羽根用駆動部材８を反時計方向へ回転させ始める。そのため、それ以後は、先羽根の３枚の羽根１３〜１５は、羽根同士の重なりを小さくしつつ上方へ作動し、後羽根の羽根１８〜２０は、羽根同士の重なりを大きくしつつ上方へ作動していく。
【００２５】
このようにして、セット作動が行われてゆき、先羽根の３枚の羽根１３〜１５が展開して開口部１ａを覆い、後羽根の３枚の羽根１８〜２０が重畳して開口部１ａの上方位置に格納された状態になると、各駆動部材６，８に取り付けられている鉄片部材７，９の鉄片部７ｂ，９ｂが、先羽根用電磁石と後羽根用電磁石の鉄芯部材４，５に接触するようになる。しかしながら、各駆動部材６，８は、それよりも僅かに反時計方向へ回転させられてから、セット部材１０に対する図示していないカメラ本体側の部材の押動が停止することによって停止させられ、図３に示されたセット状態になる。従って、図３からは分からないが、この状態においては、実際には、各駆動部材６，８の取付部６ｃ，８ｃ内に収容されている図示していない圧縮ばねが圧縮されていて、鉄片部材７，９の鍔部７ｃ，９ｃは、各駆動部材６，８の取付部６ｃ，８ｃから僅かに離れている。そして、セット部材１０は、次の撮影が行われるまで、この状態を維持させられる。
【００２６】
次の撮影に際して、レリーズボタンが押されると、先ず、先羽根用電磁石と後羽根用電磁磁石の各コイルに通電されるので、夫々の鉄芯部材４，５が、鉄片部材７，９の鉄片部７ｂ，９ｂを吸着保持する。その後、セット部材１０の被押動部１０ｃに対する図示していないカメラ本体側の部材による抑止力が解かれ、セット部材１０は、図示していない復帰ばねの付勢力によって図３の位置から反時計方向へ回転させられる。そして、その回転の初期段階において、セット部材１０の押動部１０ａ，１０ｂが先羽根用駆動部材６の被押動部６ｂと後羽根用駆動部材８のローラ８ｂから離れることになるが、その段階においては、各駆動部材６，８は、既に上記のように各鉄片部材７，９が鉄芯部材４，５に吸着保持されているので、それらの取付部６ｃ，８ｃが、僅かに離れていた鉄片部材７，９の鍔部７ｃ，９ｃに接触した状態となって停止し、露光作動を開始してしまうことがない。そして、その後、セット部材１０が初期位置に復帰した状態が、図４に示された状態である。
【００２７】
図４に示されている状態になると、先ず、先羽根用電磁石のコイルに対する通電が断たれる。それによって、鉄片部材７に対する鉄芯部材４の吸引力が失われるため、先羽根用駆動部材６は、図示していない先羽根用駆動ばねの付勢力によって急速に時計方向へ回転させられる。そのため、先羽根の３枚の羽根１３〜１５は、羽根同士の重なりを大きくしつつ略下方へ移動させられ、開口部１ａを上方から開いていく。次に、後羽根用電磁石のコイルに対する通電が断たれると、鉄片部材９に対する鉄芯部材５の吸引力が失われるため、後羽根用駆動部材８は、図示していない後羽根用駆動ばねの付勢力によって急速に時計方向へ回転させられる。そのため、後羽根の３枚の羽根１８〜２０は、羽根同士の重なりを小さくしつつ略下方へ移動させられ、開口部１ａを上方から閉じていく。従って、その後は、先羽根のスリット形成羽根１５と後羽根のスリット形成羽根２０との間に形成されるスリットにより、固体撮像素子の撮像面を順に露光していくことになる。
【００２８】
その後、先羽根の３枚の羽根１３〜１５が開口部１ａから完全に退くと、先羽根用駆動部材６は、当接部６ｅの平坦な当接面が緩衝部材２の平坦な被当接面に当接し、緩衝部材２を圧縮させながら制動されて停止する。続いて、後羽根駆動部材８の方も、後羽根の３枚の羽根１８〜２０が開口部１ａを完全に覆うと、後羽根用駆動部材８は、当接部８ｅの平坦な当接面が緩衝部材３の平坦な被当接面に当接し、緩衝部材３を圧縮させながら制動されて停止する。その状態が、図１に示された状態であって、この状態になると、撮像情報が固体撮像素子から記憶装置に転送され、上記のようにしてセット作動が開始されることになる。
【００２９】
ところで、既に説明したように、撮影時における各駆動部材６，８の作動を停止させるためには、従来は、長孔１ｂ，１ｃの下端部に取り付けられた緩衝部材に、駆動ピン６ｄ，８ｄを当接させていた。即ち、凹の曲面に形成されている緩衝部材の被当接面に対して凸の曲面をしている駆動ピン６ｄ，８ｄを当接させていた。それに対して、特許文献１の図面に示されているフォーカルプレンシャッタの場合には、長孔の下端部に取り付けられた緩衝部材の被当接面を、駆動ピンの作動方向に対して垂直な面にするとともに、被駆動ピンが緩衝部材に当接する面も、駆動ピンの作動方向に対して垂直な面にしている。それによって、緩衝部材は、駆動部材による力を、平坦面同士の接触によって受けることになるので、上記した曲面同士の接触の場合よりも緩衝効果は優れている。しかしながら、駆動ピンに平坦面を形成する場合には、自ずとその面積は限られたものになる。
【００３０】
それに対して、本実施例の各駆動部材６，８に設けられている当接部６ｅ，８ｅの当接面は、シャッタ地板１の面と平行な二辺が長孔１ｂ，１ｃの幅よりも長く、垂直な二辺が長孔１ｂ，１ｃを形成している部位のシャッタ地板１の板厚寸法より長い、長方形の平坦面に形成されている。他方、緩衝部材２，３の被当接面は、上記の当接面と全く同じ形状の平坦面に形成されている。そのため、その緩衝効果は、特許文献１の図面に示されている構成のものよりも格段に大きいという特徴がある。
【００３１】
尚、本実施例の場合には、各駆動部材６，８の当接部６ｅ，８ｅが、長孔１ｂ，１ｃの幅以上に長く形成されているが、長孔１ｂ，１ｃの幅と略同じであっても、従来のものよりは大きな効果が得られる。また、起立されている当接部６ｅ，８ｅの高さは、シャッタ地板１の板厚寸法と同じ程度であってもよいし、場合によっては小さくても構わない。要は、他の構成部材との干渉を避け、且つ従来よりも大きな当接面が得られればよいことになる。そのため、平坦で大きな当接面が得られるのであれば、当接部６ｅ，８ｅの形状は、本実施例のように板を折り曲げたような形状でなくてもよいし、当接面も長方形である必要はない。更に、本実施例の場合には、緩衝部材２，３の被当接面の形状が、当接部６ｅ，８ｅの当接面と同じ形状をしていると説明したが、全く同じである必要はない。
【００３２】
以上のように、本実施例の説明は、本実施例のフォーカルプレンシャッタを、デジタルカメラに採用した場合で説明したが、銀塩フィルムを使用するカメラにも採用できることは言うまでもない。また、上記の説明においては、本実施例のフォーカルプレンシャッタを、シャッタ地板を被写体側にして、カメラに取り付ける場合で説明したが、周知のように、デジタルカメラに採用するときは、補助地板を被写体側にして配置する場合もある。また、上記の実施例の構成において、先羽根用駆動部材，先羽根，先羽根用電磁石を取り除くと、周知のような、一つのシャッタ羽根を備えたデジタルカメラ用のフォーカルプレンシャッタになる。従って、そのように構成したものも本発明に含まれる。
【図面の簡単な説明】
【００３３】
【図１】露光作動終了直後の状態を被写体側から見て約左半分を示した実施例の平面図である。
【図２】図１の下方から見て、先羽根用駆動部材を、その当接部の当接面が分かるようにして示した側面図である。
【図３】セット状態を図１と同様にして見て示した平面図である。
【図４】露光作動開始直前の状態を図１と同様にして見て示した平面図である。
【符号の説明】
【００３４】
１                                         シャッタ地板
１ａ                                       開口部
１ｂ，１ｃ                                 長孔
１ｄ，１ｅ，６ｃ，８ｃ                     取付部
１ｆ，１ｇ，１ｈ，１ｉ，１ｊ，１ｋ，１ｍ   軸
２，３                                     緩衝部材
４，５                                     鉄芯部材
６                                         先羽根用駆動部材
６ａ，８ａ                                 筒部
６ｂ，１０ｃ                               被押動部
６ｄ，８ｄ                                 駆動ピン
６ｅ，８ｅ                                 当接部
７，９                                     鉄片部材
７ａ，９ａ                                 軸部
７ｂ，９ｂ                                 鉄片部
７ｃ，９ｃ                                 鍔部
８                                         後羽根用駆動部材
８ｂ                                       ローラ
１０                                       セット部材
１０ａ，１０ｂ                             押動部
１１，１２，１６，１７                     アーム
１３，１４，１５，１８，１９，２０         羽根
【図１】
2008250151.tif 000003
【図２】
2008250151.tif 000004
【図３】
2008250151.tif 000005
【図４】
2008250151.tif 000006